(57)【要約】【課題】隣接する放電セル間でのクロストークの抑制の信頼性の高い構造のプラズマディスプレイパネルを実現することを目的とする。【解決手段】プラズマディスプレイパネルを、周囲を隔壁１８により区画された放電セル１７を有し、隔壁１８の頂部の一部に溝部２１を有する構成とする。この溝部２１により、隔壁１８の体積収縮率は小さくなり、したがって焼成後の隔壁１８の変形は抑制される。この結果、前面板２との間に隙間が生じることが抑制されることとなり、放電後の残留荷電粒子等が隣接する放電セル１７間に移動、拡散してしまうといったことも抑制され、隣接する放電セル１７間のクロストークは生じにくくなる。【選択図】  図３
2004206940.tif 000002
【特許請求の範囲】
【請求項１】
周囲を隔壁により区画された放電セルを有するプラズマディスプレイパネルであって、隔壁の頂部の一部に溝部を有するプラズマディスプレイパネル。
【請求項２】
対向配置された前面板と背面板とを有し、前面板は、走査電極と維持電極とからなる表示電極を有し、背面板は、表示電極と直交するデータ電極と、表示電極とデータ電極とが交差する部分に形成される複数の放電セルを区画する格子状の隔壁とを有し、隔壁の頂部の一部に溝部を有するプラズマディスプレイパネル。
【請求項３】
前面板が、隔壁との当接部の一部に、隣接する放電セルを非直線的に連通する連通部を備える請求項１または２に記載のプラズマディスプレイパネル。
【請求項４】
連通部は、前面板に設けた、隔壁の頂部の幅より広い幅を有する第二の溝部の開口面に、隔壁の頂部を、接した、もしくは挿入した状態に対峙させることで構成した請求項３に記載のプラズマディスプレイパネル。
【請求項５】
溝部の幅Ｗｄ（μｍ）が、溝部と対峙する隔壁の頂部の幅の合計Ｗｔｒ２（μｍ）と、第二の溝部の隔壁頂部での幅Ｗｉｐｇ（μｍ）に対して、３≦（Ｗｄ−Ｗｔｒ２−Ｗｉｐｇ）／２≦１７の関係を有する請求項４に記載のプラズマディスプレイパネル。
【請求項６】
溝部の底面と、溝部と対峙する隔壁の頂部との間隔Ｄ（μｍ）が、３≦Ｄ≦１７の関係を有する請求項４に記載のプラズマディスプレイパネル。
【発明の詳細な説明】
【０００１】
【発明の属する技術分野】
本発明はコンピュータおよびテレビ等の画像表示に用いるプラズマディスプレイパネル（以下、ＰＤＰと記す）に関するものである。
【０００２】
【従来の技術】
図１２は、従来のＰＤＰの概略構造を示す断面斜視図である。
【０００３】
ＰＤＰ１の前面板２は、例えばガラスのような透明且つ絶縁性の前面基板３上に、走査電極４と維持電極５とからなる表示電極６と、その表示電極６を覆う誘電体層７と、さらにその誘電体層７を覆う例えばＭｇＯ膜による保護層８を有する。走査電極４および維持電極５は、電気抵抗の低減と透過性の確保を目的として、透明電極４ａ、５ａに金属材料からなるバス電極４ｂ、５ｂを積層した構造としている。
【０００４】
背面板９は、例えばガラスのような絶縁性の背面基板１０上に、表示電極６と直交するデータ電極１１と、そのデータ電極１１を覆う誘電体層１２と、誘電体層１２の上に、表示電極６とデータ電極１１とが交差する部分に形成される複数の放電セル１７（単位発光領域）を区画する格子状の隔壁１８と、隔壁１８に囲まれた領域の内壁に形成した蛍光体層１５とを有する（例えば、非特許文献１参照）。
【０００５】
そして、隔壁１８を挟んで対向配置した前面板２と背面板３とは、画像表示領域の外の周囲を封着部材により封止した構成であり、放電空間１６には、例えばＮｅ−Ｘｅ５％の放電ガスが６６．５ｋＰａ（５００Ｔｏｒｒ）の圧力で封入されている。そして、放電空間１６の表示電極６とデータ電極１１との交差部が放電セル１７（単位発光領域）として動作する。
【０００６】
ここで、放電セル１７は、格子状の隔壁１８により周囲を囲まれた構造となっていることから、隣接する放電セル１７間でのクロストークやプライミングの影響による放電開始電圧の変動などの問題の発生を抑制することが可能である。
【０００７】
【非特許文献１】
２００１ＦＰＤテクノロジー大全、株式会社電子ジャーナル、２０００年１０月２５日、ｐ７２４−ｐ７２５
【０００８】
【発明が解決しようとする課題】
しかしながら、上述した構造のＰＤＰにおいても、画像表示時に壁電圧の変動が原因と考えられる駆動マージンの低下という課題が発生する場合があった。この原因は、本発明者らが行った検討の結果、以下であると考えられる。すなわち、隔壁と障壁とを形成する場合、まず材料を隔壁および障壁の形状に形成した後、焼成するということが行われるが、この焼成時において、隔壁１８の、特に交差する部分には収縮による引っ張り応力が生じ、その結果、隔壁１８が変形し、前面板２との間に隙間が生じる場合がある。
【０００９】
このような場合、その隙間を通じて、放電後の残留荷電粒子等が隣接する放電セル１７間に移動、拡散してしまう場合があり、その結果、隣接する放電セル１７間のクロストークが生じ、駆動マージンが低下するということが判った。
【００１０】
本発明は上述のような状況に鑑みて行われたものであり、隣接する放電セル間でのクロストークの抑制の信頼性の高い構造のプラズマディスプレイパネルを実現することを目的とする。
【００１１】
【課題を解決するための手段】
上記目的を実現するために本発明のプラズマディスプレイパネルは、周囲を隔壁により区画された放電セルを有するプラズマディスプレイパネルであって、隔壁の頂部の一部に溝部を有するものである。
【００１２】
また、上記目的を実現するために本発明のプラズマディスプレイパネルは、対向配置された前面板と背面板とを有し、前面板は、走査電極と維持電極とからなる表示電極を有し、背面板は、表示電極と直交するデータ電極と、表示電極とデータ電極とが交差する部分に形成される複数の放電セルを区画する格子状の隔壁とを有し、隔壁の頂部の一部に溝部を有するものである。
【００１３】
【発明の実施の形態】
すなわち、本発明の請求項１に記載の発明は、周囲を隔壁により区画された放電セルを有するプラズマディスプレイパネルであって、隔壁の頂部の一部に溝部を有するプラズマディスプレイパネルである。
【００１４】
また、請求項２に記載の発明は、対向配置された前面板と背面板とを有し、前面板は、走査電極と維持電極とからなる表示電極を有し、背面板は、表示電極と直交するデータ電極と、表示電極とデータ電極とが交差する部分に形成される複数の放電セルを区画する格子状の隔壁とを有し、隔壁の頂部の一部に溝部を有するプラズマディスプレイパネルである。
【００１５】
また、請求項３に記載の発明は、請求項１または２に記載の発明において、前面板が、隔壁との当接部の一部に、隣接する放電セルを非直線的に連通する連通部を備えるものである。
【００１６】
また、請求項４に記載の発明は、請求項３に記載の発明において、連通部は、前面板に設けた、隔壁の頂部の幅より広い幅を有する第二の溝部の開口面に、隔壁の頂部を、接した、もしくは挿入した状態に対峙させることで構成したものである。
【００１７】
また、請求項５に記載の発明は、請求項４に記載の発明において、溝部の幅Ｗｄ（μｍ）が、溝部と対峙する隔壁の頂部の幅の合計Ｗｔｒ２（μｍ）と、第二の溝部の隔壁頂部での幅Ｗｉｐｇ（μｍ）に対して、３≦（Ｗｄ−Ｗｔｒ２−Ｗｉｐｇ）／２≦１７の関係を有するものである。
【００１８】
また、請求項６に記載の発明は、請求項４に記載の発明において、溝部の底面と、溝部と対峙する隔壁の頂部との間隔Ｄ（μｍ）が、３≦Ｄ≦１７の関係を有するものである。
【００１９】
以下、本発明の一実施の形態によるＰＤＰについて、図１〜図１０を用いて説明する。なお、従来のＰＤＰの説明で用いた図１２に示すものと同じものには同じ番号を付している。
【００２０】
（実施の形態１）
図１は、本実施の形態１によるＰＤＰの概略構造を示す断面斜視図である。また、図２は、本実施の形態１によるＰＤＰの、表示電極６と格子状の隔壁１８との位置関係を示す平面図であり、図３は、図２におけるＡ−Ａ矢視断面図である。
【００２１】
ＰＤＰ１の前面板２は、例えばガラスのような透明且つ絶縁性の前面基板３上に、走査電極４と維持電極５とからなる表示電極６と、その表示電極６を覆う誘電体層７と、さらにその誘電体層７を覆う例えばＭｇＯ膜による保護層８を有する。走査電極４および維持電極５は、電気抵抗の低減と透過性の確保を目的として、透明電極４ａ、５ａに金属材料からなるバス電極４ｂ、５ｂを積層した構造としている。
【００２２】
背面板９は、例えばガラスのような絶縁性の背面基板１０上に、表示電極６と直交するデータ電極１１と、そのデータ電極１１を覆う誘電体層１２と、誘電体層１２の上に、表示電極６とデータ電極１１とが交差する部分に形成される複数の放電セル１７（単位発光領域）を区画する格子状の隔壁１８と、隔壁１８に囲まれた領域の内壁に形成した蛍光体層１５とを有する。
【００２３】
そして、隔壁１８を挟んで対向配置した前面板２と背面板３とは、画像表示領域の外の周囲を封着部材により封止した構成であり、放電空間１６には、例えばＮｅ−Ｘｅ５％の放電ガスが６６．５ｋＰａ（５００Ｔｏｒｒ）の圧力で封入されている。
【００２４】
以上の構成における、走査電極４（Ｎ本目を示す場合にはその番号を付す）および維持電極５（Ｎ本目を示す場合にはその番号を付す）とデータ電極１１（Ｍ本目を示す場合にはその番号を付す）との相対的な位置関係を、概略的にマトリックス図として図４に示す。
【００２５】
次に、ＰＤＰの駆動方法について図５、図６を用いて説明する。
【００２６】
図５は、本発明のＰＤＰ１を用いた画像表示装置１００の概略構成を示すブロック図であり、図６は、その際のＰＤＰ１の各電極に印加される駆動波形の一例を示す図である。
【００２７】
まず初期化期間において、走査電極４に対し初期化パルスを印加し、ＰＤＰ１の放電セル１７内の壁電荷を初期化する。
【００２８】
そして次の書き込み期間において、一番目の走査電極４（１）には走査パルスを、データ電極１１の、表示を行う放電セル１７に対応するラインには書き込みパルスを、同時に印加して書き込み放電を行うことで誘電体層表面に壁電荷を蓄積する。同様に、二番目の走査電極４（２）に走査パルスを、データ電極１１の、表示を行う放電セル１７に対応するラインに書き込みパルスを、同時に印加して書き込み放電を行うことで、同様に誘電体層表面に壁電荷を蓄積する。以上の動作を、全ての走査電極４に対して行うことで、表示を行う放電セル１７に対応する壁電荷を誘電体層表面に順次蓄積し、１画面分の潜像を書き込む。
【００２９】
そして次の維持期間において、維持放電を行うために、データ電極１１を接地し、走査電極４と維持電極５とに交互に維持パルスを印加することによって、誘電体層表面に壁電荷が蓄積された放電セル１７、すなわち書き込みパルスによって選択された放電セル１７では、誘電体層表面の電位が放電開始電圧を上回ることによって放電が発生することとなり、維持パルスが印加されている期間（維持期間）、主放電が維持される。
【００３０】
そしてその後の消去期間において、幅の狭い消去パルスを印加することによって不完全な放電が発生し壁電荷が消滅するため消去が行われる。
【００３１】
また、テレビ映像を表示する場合、ＮＴＳＣ方式において映像は、１秒間に６０枚のフィールドで構成されている。元来、プラズマディスプレイパネルでは、点灯か消灯の２階調しか表現できないため中間色を表示するために、赤（Ｒ）、緑（Ｇ）、青（Ｂ）の各色の点灯時間を時分割し、１フィールドを数個のサブフィールドに分割し、その組み合わせによって中間色を表現する方法が用いられている。ＰＤＰ１において各色２５６階調を表現する場合のサブフィールドの分割の一例としては、図７に示すように、１フィールドを８つのサブフィールドに分割し、分割した各サブフィールドの放電維持期間内に印加する維持パルス数の比を、１、２、４、８、１６、３２、６４、１２８のようにバイナリで重み付けを行い、この８ビットの組み合わせによって２５６階調を表現するという方法がある。また、更に高画質化する為に、サブフィールドの数を増加させ、該階調を表示する為のサブフィールドの重み付けの組み合わせを複数用いることによって、動画表示時の視線移動によって発生する擬似輪郭を低減する方法も用いられている。このように、ＰＤＰ１の駆動方法では、初期化期間、書き込み期間、維持期間、消去期間という一連のシーケンスによって表示を行っている。
【００３２】
以上の構成においては、図１〜図３に示すように、隔壁１８は、その頂部に溝部２１を有する。この溝部２１の存在により、隔壁１８の体積収縮率は小さくなり、したがって焼成後の隔壁１８の変形は抑制される。この結果、前面板２との間に隙間が生じることが抑制されることとなり、放電後の残留荷電粒子等が隣接する放電セル１７間に移動、拡散してしまうといったことも抑制され、隣接する放電セル１７間のクロストークは生じにくくなり、駆動マージンの低下も抑制されることとなる。
【００３３】
（実施の形態２）
図８は、本実施の形態２によるＰＤＰの、表示電極６と格子状の隔壁１８と連通部２０との位置関係を示す平面図であり、図９は、図８におけるＡ−Ａ矢視断面図である。実施の形態１との違いは、図１０に、前面板２の、隔壁１８との当接部の断面図を示すように、例えば前面板２は、背面板３が有する格子状の隔壁１８と当接する誘電体層８の一部に、隔壁１８の頂部の幅Ｗｔｒより広い幅Ｗｄを有する溝部１９を備え、この溝部１９の開口面１９ａ（図１０中では点線で表示）、すなわち前面板２の内面２ａと同じ位置となる面に対して、隔壁１８の頂部が、接した状態（図１０（ａ））、もしくは挿入した状態（図１０（ｂ））で対峙させることで、隔壁１８を介して隣接する放電セル１７を非直線的に連通する連通部２０を構成していることである。なお図８では保護層８を省略している。ここで、非直線的に連通するとは、直線的には連通しない構造、すなわち、隔壁１８を介して隣接する放電セル１７（の放電空間１６）どうしが直接には覗けない構造であることを意味するものである。また、そのような趣旨から、隔壁１８の頂部は、溝部１９の開口面１９ａに対して、同一面を含んで、それ以上に挿入された状態となっている。
【００３４】
この構造では、連通部２０の存在により、ＰＤＰ１の製造工程において放電ガス封入前に行う放電空間１６内の排気工程において、排気コンダクタンスが低下することがなく、その結果、排気工程時の最高到達真空度は従来のＰＤＰの場合とほぼ同程度、すなわち、ＰＤＰ１内のＨ2ＯやＣＯ2等の放電特性に悪影響を与えると考えられる不純物ガスの排気を十分に行えるという効果が得られる。
【００３５】
ここで、図１１に、連通部２０における溝部１９での、前面板２の誘電体層７と隔壁１８との距離Ｄｅ（μｍ）と壁電圧の低下値ΔＶｗ（Ｖ）との関係を示す。これは、異なるＩＰＧに対して、放電ガスに含まれるＸｅガスが５％の場合と１５％の場合で行った実験結果である。この図から判るように、壁電荷の低下値ΔＶｗ（Ｖ）が許容範囲、例えば２（Ｖ）程度以下となるのは、様々な条件であっても、Ｄｅ（μｍ）が１７（μｍ）程度以下となることがわかる。また、Ｄｅが０（μｍ）の場合には、排気が不十分となるため、ある程度の隙間が必要であり、これは３（μｍ）程度以上である。
【００３６】
このことから、溝部１９の幅をＷｄ（μｍ）、溝部１９と対峙する隔壁１８の頂部の幅の合計をＷｔｒ２（μｍ）、第二の溝部２１の隔壁１８の頂部での幅をＷｉｐｇ（μｍ）とすると、（Ｗｄ−Ｗｔｒ２−Ｗｉｐｇ）／２＝Ｄｅ（μｍ）であることから、３≦（Ｗｄ−Ｗｔｒ２−Ｗｉｐｇ）／２≦１７の関係を有すると、排気コンダクタンスを確保しつつ、書き込み動作時の壁電圧の低下が少なくなり、クロストークマージンを向上させることが可能となる。これは、放電後に残留する準安定粒子等のプライミング効果粒子が隣の放電セルまで拡散することに対する抑制効果により、プライミング効果による壁電荷の低下が抑制されるためと考えられる。また、このことによって駆動マージンが広がることも考えられる。
【００３７】
また同様の理由により、溝部１９の底面と、溝部１９と対峙する隔壁１８の頂部との間隔をＤ（μｍ）とすると、Ｄ＝Ｄｅであることから、３≦Ｄ≦１７の関係を有することが好ましい。
【００３８】
なお、以上説明した実施の形態１および２における構成では、溝部２１は、隔壁１８の一方向にのみ形成した形態のものを示したが、そのような形態に限るものではなく、隔壁１８の異なる方向に対して形成したものであっても、本発明の効果は同様に得ることができる。また、溝部２１は連続的であっても、離散的であっても良い。
【００３９】
また、隔壁１８も格子状に限るものではなく、交差する部分を有する形状であれば、本発明の効果は同様に得ることができる。
【００４０】
また、溝部１９は、隔壁１８の一方向に、連続した形態のものを示したが、そのような形態に限るものではなく、離散的に存在し、且つ隔壁１８の異なる方向に対して形成したものであっても良い。
【００４１】
【発明の効果】
以上のように本発明によれば、隣接する放電セル間でのクロストークの抑制の信頼性の高い構造のプラズマディスプレイパネルを実現することが可能となる。
【図面の簡単な説明】
【図１】本発明の実施の形態１によるプラズマディスプレイパネルの概略構成を示す断面斜視図
【図２】本発明の実施の形態１によるプラズマディスプレイパネルの、表示電極と格子状の隔壁との位置関係を示す平面図
【図３】図２おけるＡ−Ａ矢視断面図
【図４】本発明の実施の形態１によるプラズマディスプレイパネルの、走査電極および維持電極とデータ電極との相対的な位置関係を示すマトリックス図
【図５】本発明の実施の形態１によるプラズマディスプレイパネルを用いた画像表示装置の概略構成を示すブロック図
【図６】本発明の実施の形態１によるプラズマディスプレイパネルの各電極に印加される駆動波形の一例を示す図
【図７】本発明の実施の形態１によるプラズマディスプレイパネルの駆動方法において各色２５６階調を表現する場合のサブフィールドの分割例を示す図
【図８】本発明の実施の形態２によるプラズマディスプレイパネルの、表示電極と格子状の隔壁と連通部との位置関係を示す平面図
【図９】図８おけるＡ−Ａ矢視断面図
【図１０】本発明の実施の形態１によるプラズマディスプレイパネルの前面板の誘電体層と隔壁との当接部の概略状態を示す断面図
【図１１】本実施の形態１によるプラズマディスプレイパネルの、連通部における溝部での、前面板の誘電体層と隔壁との距離Ｄｅと壁電圧の低下値ΔＶｗとの関係を示す図
【図１２】従来のプラズマディスプレイパネルの概略構成を示す断面斜視図
【符号の説明】
１  プラズマディスプレイパネル
２  前面板
３  前面基板
７  誘電体層
８  保護層
９  背面板
１０  背面基板
１２  誘電体層
１７  放電セル
１８  隔壁
２１  溝部
【図１】
2004206940.tif 000003
【図２】
2004206940.tif 000004
【図３】
2004206940.tif 000005
【図４】
2004206940.tif 000006
【図５】
2004206940.tif 000007
【図６】
2004206940.tif 000008
【図７】
2004206940.tif 000009
【図８】
2004206940.tif 000010
【図９】
2004206940.tif 000011
【図１０】
2004206940.tif 000012
【図１１】
2004206940.tif 000013
【図１２】
2004206940.tif 000014